(57)【要約】      （修正有）【課題】瞬間接着剤、ＵＶ硬化樹脂等微小な隙間で硬化する嫌気性液体の吐出装置を提供する。【解決手段】ピストンやバルブスプール等雄側と、シリンジ筒やバルブボデイ等雌側の接触部を点接触さす。雌側の接触部を薄肉で形成し、雄側より若干小さい寸法とし、雄側を挿入したとき弾力で外側に脹れ、接触圧で気密を確保することにより、摺動部の隙間を無くし、隙間部を微小にし、硬化反応を起こさないシリンジや切替バルブとして、定量性、安定性の良好な吐出装置を提供する。【選択図】図１
2009012001.tif 000002
【特許請求の範囲】
【請求項１】
シリンジ筒２とピストン３で構成し、ピストン３のシリンジ筒２との接触部４の形状は算盤の玉状とし、尖がった先端で接触し、直径はシリンジ筒２の内径より若干大きい寸法とし、ピストン３の左に案内部７を設け、シリンジ筒２の胴部５は薄肉で形成したことを特徴とするシリンジ。
【請求項２】
ボデイ１５の円筒部１６を薄肉で形成し、中央部に中央ポート１１、その両側に左ポート１２、右ポート１３を一体形成し、円筒部１６の内径より若干大径の中央ディスク１７、両脇に左ディスク１８、右ディスク１９の３枚のディスクを同心に設置し、ピストン２０で連結し、ディスク間の間隔は中央ポート１１と左ポート１２が連通する間隔、及び中央ポート１１と右ポート１３が連通する間隔としたスプール１４を挿入したことを特徴とする切替バルブ。
【請求項３】
薄肉の中空軸構成としたピストンロッドと、内径をピストンロッドの外径より若干小さく形成し、ピストンロッドとの接触部は山形としたキャップとで構成するロッドシール。
【発明の詳細な説明】
【技術分野】
【０１】瞬間接着剤、ＵＶ硬化樹脂等微小な隙間で硬化する嫌気性液体等の吐出装置に関する。
【背景技術】
【０２】嫌気性液体用の吐出装置の主なものとして、フッソ樹脂チュウブをしごくチュウブポンプがある。チュウブが短時間で押しつぶされ定量性、安定性が無い。【０３】注射器様のシリンジのピストンを押し込むシリンジポンプは、定量性、安定性が非常に良好であるが、シリンジや液補給用の切替バルブに摺動部があり、その隙間に液が侵入し硬化してしまう。温度硬化タイプのエポキシ樹脂も可使時間内は問題ないが、隙間に侵入したものは洗浄しても取りきれず、硬化してしまう。
【発明が解決しようとする課題】
【０４】摺動部の隙間を無くし、又は隙間部を微小にし、硬化反応を起こさないシリンジや切替バルブを提供し、定量性、安定性の良好な吐出装置を提供する。
【課題を解決するための手段】
【０５】ピストンやバルブスプール等雄側と、シリンジ筒やバルブボデイ等雌側の接触部を点接触さす。雌側の接触部を薄肉で形成し、雄側より若干小さい寸法とし、雄側を挿入したとき弾力で外側に脹れ、接触圧で気密を確保する。
【０６】雄側の接触部を薄肉で形成し、雌側より若干大きい寸法とし、雌側に挿入したとき弾力で内側に脹れ、接触圧で気密を確保する。
【実施例１】
【０７】シリンジ１は、シリンジ筒２とピストン３で構成する。ピストン３のシリンシ筒２との接触部４の形状は算盤の玉状とし、尖がった先端で接触し、直径はシリンジ筒２の内径より若干大きい寸法とする。シリンジ筒２の胴部５は薄肉で形成し、ピストン３の接触部４と経合するとき、その弾力で外側に脹れ、接触圧で気密を確保する。接触部４の形状は実質的には鋭利な尖りでなく、若干の平坦部を設ける、円弧状に形成する、２山に形成する等摩耗に強い形状にする。【０８】ピストン３の若干左に、シリンジ筒２の内径より若干小径の案内部７を設置する。
【作用】
【０９】シリンジ筒２内に液６を充填し、ピストン３をシリンジ筒２内に押し込むと、液６はシリンジ１の吐出口８より吐出する。
【１０】シリンジ筒２とピストン３の接触は細い線接触となり、隙間がないから液の硬化作用が発生しない。
【１１】案内部７はシリンジ筒２に、ピストン３を挿入する際の案内となりピストン３の傾くのを防止する。シリンジ筒２とは隙間をもって接しているので液の硬化には影響がない。又ピストン３がシリンジ筒２の最左端に達しないための壁にもなる。案内部７の形状は円筒状だけでなく十字形等、隙間の少ない形状が望ましい。
【発明の効果】
【１２】従来ピストン部での気密保持にはＯリング、シールリング等が使用されているがその様な別部品を用いることがなく、安価に提供できる。
【１３】胴部５の肉厚と、シリンジ筒２とピストン３との寸法差とにより耐圧力が算定できる。特に低粘度接着剤、薬液等の吐出では、高い耐圧力を必要としないので接触圧を相応に低く設定して低摩擦を計り、磨耗粉の発生を抑えることが可能である。
【１４】瞬間接着剤、ＵＶ樹脂等嫌気性液体の定量吐出が可能となる。
【実施例２】
【１５】切替バルブ１０はスプール式の三方切替弁で、中央ポート１１がスプール１４の位置により左ポート１２又は右ポート１３に連通する。【１６】ボデイ１５は円筒状で円筒部１６は薄肉で形成し、中央部に中央ポート１１、その両側に左ポート１２、右ポート１３を一体形成し、内部にスプール１４を挿入する。【１７】スプール１４は中央ディスク１７の両脇に左ディスク１８、右ディスク１９の３枚のディスクを同心に設置し、ピストン２０で連結している。ディスク間の間隔は中央ポート１１と左ポート１２が連通する間隔、及び中央ポート１１と右ポート１３が連通する間隔とする。３枚のディスクは実施例１と同じ構造とする。ポートの位置、ディスクの間隔等は液の流れ、置換等考慮し最適な位置を選定する。
【作用】
【１８】ピストン２０を手動等で左右に移動さし、中央ディスク１７と左ディスク１８で形成する空間２１が、中央ポート１１と左ポート１２が連通する位置にあるとき、液は中央ポート１１と左ポート１２間を流れ、中央ディスク１７と右ディスク１９で形成する空間２２が、中央ポート１１と右ポート１３が連通する位置にあるとき、液は中央ポート１１と右ポート１３間を流れる。
【発明の効果】
【１９】全てを一体成形すると僅か２点の部品で構成でき、安価に提供できる。瞬間接着剤用として部品材質をＰＰ、ＰＴＦＥ，ＰＦＡ等を採用し一体成形することが可能。
【２０】構造が単純なためゴミ等の発生がほとんど無く、滅菌処理も可能で、医薬品、半導体装置、液晶パネル装置等にも適応可能。
【２１】中央ディスク１７が中央ポート１１を通るとき、接触部が線のため左右両ポートを一瞬連通さしてしまう。これを防止するために中央ディスク１７は接触部を２山に形成する。（図３参照）この山の間隔をポートの開口穴２３より大きくして左右両ポートの連通を防止する。中央ディスク１７は常時全て接液しており、山の間にある液は硬化を防げる。
【２２】中央ポート１１、左ポート１２、右ポート１３は真上に設置するとエアを容易に排除でき、液の置換も容易である。
【２３】ピストン２０の左右移動はエア駆動、電磁駆動、機械駆動等種々の手段が可能。
【実施例３】
【２４】切替バルブ３０は回転式の切替弁で、ディスクの９０度回転で管路の切替えをすると共に、液のタンクを一体に組み込んだものである。【２５】バルブボデイ３１は、薄肉で形成し、ディスク３２と経合するとき、その弾力で外側に脹れ、接触圧で気密を確保する。バルブボデイ３１は上方に大径のタンク部３３を一体形成し、上蓋３４に注入口３５を開口している。バルブボデイ３１の側壁にシリンジポート３６、下方に吐出ポート３７を設置する。【２６】ディスク３２は回転軸３８に対して斜めに取り付けられており、右上がりの位置にあるとき、シリンジポート３６はタンク部３３と連通し、左上がりの位置にあるとき、シリンジポート３６は吐出ポート３７と連通する。ディスク３２の外周は実施例２と同じく２山形状でバルブボデイ３１と接触している。回転軸３８は上蓋３４に設置した９０度回転装置３９に連接する。【２７】シリンジポート３６にシリンジ１を連結する。吐出ポートへ３７にノズル３９を連結する。
【作用】
【２８】ディスク３２を右上がりの位置にし、タンク部３３に注入口３５より液を注入充填する。シリンジ１のピストンを引き戻してシリンジ１に液を充填する。ディスク３２を９０度回転さし左上がりの位置にすると、シリンジポート３６は吐出ポート３７と連通する。シリンジ１より液を押し出すとノズル３９より液を吐出する。
【発明の効果】
【２９】前記実施例２と同じ効果があると共に、ディスクが一枚で構成でき安価になる。
【３０】ディスク３２が右上がりの位置にあるとき、バルブボデイ３１の右上に空気逃がしポートを設けることも容易にできる。またバルブボデイ３１やタンク部３３を透明、半透明の材質で成形して液の状態を確認できる。
【３１】ゴミの侵入、発生がほとんどなく、瞬間接着剤等の嫌気性液体の吐出装置だけでなく、液の置換性が良好であり、純水装置、液晶パネル製造装置、薬液装置等広範囲に適応が可能である。
【実施例４】
【３２】シリンジ５０はピストンロッド５１側もシールして、右室５２にも液を導入出きる。シリンジ５０の左側は実施例１のシリンジ１と同じ構成なので詳述は省いている。【３３】ピストンロッド５１は薄肉の中空軸構成とする。キャップ５３はシリンジ５０の右端を封止し、内径はピストンロッド５１の外径より若干小さく形成し、ピストンロッド５１との接触部５４は山形とする。キャップ５３にピストンロッド５１を挿入したとき、ピストンロッド５１は弾力で縮小し、接触圧で右室５２の気密を確保する。【３４】右室５２の右端にポート５５を形成し、左室５６の右端にポート５７を形成してシリンジ５０とする。
【作用】
【３５】ピストンロッド５１を右に移動さすと、右室５２内の流体は右端のポート５５より吐出し、左室５６内は左端のポート５７より外部の流体を吸入する。ピストンロッド５１を左に移動さすと、左室５６内の流体は左端のポート５７より吐出し、右室５２内は右端のポート５５より外部の流体を吸入する。
【３６】接触部５４は、接触部４と同様に線接触し、隙間を発生さすことなく右室５２内の気密を確保する。
【発明の効果】
【３７】実施例１と同様の効果を期待できる。
【３８】シリンジ５０と切替バルブ１０を組み合わせてポンプを構成すると、連続して液を送液する瞬間接着剤、ＵＶ樹脂液、液晶、薬液等の連続ポンプを提供できる。
【図面の簡単な説明】
【３９】
【図１】実施例１の断面図
【図２】実施例２の断面図
【図３】実施例２の中央ディスク１７と中央ポート１１の詳細図
【図４】実施例３の断面図
【図５】実施例４の断面図
【符号の説明】
【４０】１：シリンジ    ２：シリンジ筒    ３：ピストン    ４：接触部    ５：胴部    ６：液
【図１】
2009012001.tif 000003
【図２】
2009012001.tif 000004
【図３】
2009012001.tif 000005
【図４】
2009012001.tif 000006
【図５】
2009012001.tif 000007